(57)【要約】【課題】迅速にセットできる飲料容器の蓋体を提供する。【解決手段】瓶蓋と、セパレート体と、リング型差込刃とを含み、瓶蓋は蓋板と、蓋板に下向きに延設される胴体とを備え、胴体の内周には時計回りに回して螺合する内ネジ山が設けられ、セパレート体は仕切膜で底部を閉じた中空の収容室を備え、セパレート体の最上縁は胴体を穿過し、収容室の最上端面を蓋板の底面に当接でき、リング型差込刃は収容室内に内設されるとともに、中空部と底端に設置される切刃とを備える。瓶蓋とセパレート体は、係止溝と係止ブロックとからなる離合構造を介して、迅速にセットできる。リング型差込刃とセパレート体との間に導き構造を設け、しかも瓶蓋とリング型差込刃との間に連動構造を設ける。瓶蓋を反時計回りに回すときに、連動構造を介して、リング型差込刃を回転させるとともに、導き構造を介してリング型差込刃の切刃が前記セパレート体の仕切膜を押して開く。【選択図】図１
2011140352.tif 000002
【特許請求の範囲】
【請求項１】
瓶蓋と、セパレート体と、離合構造と、リング型差込刃と、導き構造と、連動構造とを含む、飲料容器の蓋体であって、
瓶蓋は、蓋板と、前記蓋板の外周に下向きに延設される胴体とを備え、前記胴体の内周には、時計回りに回して螺合する内ネジ山が設けられ、
セパレート体には、仕切膜で底部を閉じた中空の収容室を上向きに設け、セパレート体の最上縁は前記胴体を穿過し、しかも前記収容室の最上端面を前記蓋板の底面に当接させることができ、
前記離合構造は、前記セパレート体の最上縁の外周と瓶蓋との間に互いに対応して設けられる係止溝と、係止ブロックとから構成され、瓶蓋を時計回りに回すときに、前記係止溝と前記係止ブロックがお互いにロックする状態になり、瓶蓋を反時計回りに回すときに、前記係止溝と前記係止ブロックがお互いにアンロックする状態になることで、瓶蓋とセパレート体との離合を行い、
前記リング型差込刃は、前記収容室内に内設されるとともに、中空部と、底端に設置される切刃とを備え、
前記導き構造は、前記リング型差込刃とセパレート体との間に設けられ、前記リング型差込刃が反時計回りに回転するときに、下向きに移動するのを案内することができ、
前記連動構造は、前記蓋板の底面に下向きに突設される螺旋ブロックと、前記リング型差込刃の壁面に設けられ、前記螺旋ブロックと対応する螺旋溝とから構成され、瓶蓋を反時計回りに回すときに、前記螺旋ブロックが前記螺旋溝を押し出すことができ、前記導き構造の案内作用によって、前記リング型差込刃の切刃が前記セパレート体の仕切膜を押して開くことを特徴とする飲料容器の蓋体。
【請求項２】
前記離合構造は前記セパレート体の上方の外周に突設されるリングレールと、前記リングレール上に対称に備える複数の係止突起と、前記係止突起と前記リングレールとの間に形成される係止溝とから構成され、
前記係止突起は横倒しにしたＬ字型を呈し、これにより、前記リングレールとの間に前記係止溝を形成し、
前記瓶蓋には、前記係止溝に係止可能な係止ブロックを設け、瓶蓋を反時計回りに回すときに、前記係止ブロックを前記係止溝から離脱させるとともに、前記係止突起間の空きスペースから離れることで、前記瓶蓋とセパレート体とが分離できることを特徴とする請求項１に記載の飲料容器の蓋体。
【請求項３】
前記導き構造は、前記リング型差込刃に対称に設けられる二つの開口溝と、前記収容室の壁面に設けられる複数の縦方向当接ブロックとから構成され、
前記開口溝はコ字型を呈し、これにより、一つの弾性片を形成し、前記弾性片は自由端が前記リング型差込刃の外面へやや突出し、
前記リング型差込刃を複数の前記縦方向当接ブロックによって形成される空間に収容されるとともに、前記弾性片を二つの前記縦方向当接ブロック間に設置されることを特徴とする請求項１に記載の飲料容器の蓋体。
【請求項４】
前記リング型差込刃には、複数の分流孔が径方向に設けられることを特徴とする請求項１に記載の飲料容器の蓋体。
【請求項５】
前記飲料容器の蓋体には、一つの容器をさらに設け、前記容器は、飲料を収める空間を備え、しかも最上部が内外を連通する瓶口を形成し、瓶口の外周に前記瓶蓋の内ネジ山と螺合する外ネジ山が設けられることを特徴とする請求項１乃至４の何れか１項に記載の飲料容器の蓋体。
【請求項６】
前記飲料容器の蓋体には、一つの密封構造をさらに設け、前記密封構造は前記セパレート体の外周に突設され、前記瓶口と緊密に係合されるリングと、記セパレート体の外周であって、しかも前記リングの上方に環状に設けられる歯ブロックと、前記瓶口に設けられ、前記歯ブロックと噛み合う歯溝と、から構成されることを特徴とする請求項５に記載の飲料容器の蓋体。
【発明の詳細な説明】
【技術分野】
【０００１】
本発明は、蓋体に係り、特に飲料又は液体を貯留する飲料容器の蓋体に関する。
【背景技術】
【０００２】
特許文献１又は特許文献２では、「操作が簡単な飲料混合装置」を開示し、この「操作が簡単な飲料混合装置」は、モジュール化構造を形成し、それによって異なるメーカーの容器でも一体にセット可能で、飲料を混合する機能を達成する。また、現在の単一飲料の瓶を開ける方式を採用し、従来の時計と逆回しで瓶蓋を開ける方式によって、二種類の飲料原料を混合して使用することができる。
【０００３】
特許文献１又は特許文献２を参照する。まず、セパレート体３０は、螺合停止部３４を介して瓶蓋２０の螺合部２６に取り付けられる。次に、瓶蓋２０の内ネジ山２１は瓶口１１の外ネジ山１２と螺合する。これにより、セパレート３０の外周の密封リング３５は、瓶口１１中に緊密に挿設される。
【０００４】
しかし、上記の先行技術には、以下の問題がある。
１）二つの螺合プロセスで全体のセットを完成する必要がある。このため、時間がかかり、手間もかかる。特に瓶蓋２０の螺合部の製造に時間がかかり、不経済であった。
２）セパレート体３０を瓶口中に挿入するときに、螺合部２６、螺合停止部３４、及び密封リング３５が累積公差の影響を受け易いため、セットの不便をもたらす他、セットの精度も良くなかった。
【先行技術文献】
【特許文献】
【０００５】
【特許文献１】台湾実用新案登録第Ｍ３６１４９０号公報
【特許文献２】日本実用新案登録第３１５２２８８号公報
【発明の概要】
【発明が解決しようとする課題】
【０００６】
そこで、本発明の目的は、係止溝と係止ブロックとからなる離合構造を介して瓶蓋とセパレート体を迅速にセットできるとともに、係止溝と係止ブロックの製造がより簡便になる飲料容器の蓋体を提供することにある。
【０００７】
また、本発明の次の目的は、セパレート体を瓶口中に固着するときに、離合構造に径方向の干渉が発生せず、セットが便利で、しかもセットの精度も確保することができる飲料容器の蓋体を提供することにある。
【課題を解決するための手段】
【０００８】
上記課題を解決するために、本発明の請求項１は、瓶蓋と、セパレート体と、離合構造と、リング型差込刃と、導き構造と、連動構造とを含む、飲料容器の蓋体であって、瓶蓋は、蓋板と、前記蓋板の外周に下向きに延設される胴体とを備え、前記胴体の内周には、時計回りに回して螺合する内ネジ山が設けられ、セパレート体には、仕切膜で底部を閉じた中空の収容室を上向きに設け、セパレート体の最上縁は前記胴体を穿過し、しかも前記収容室の最上端面を前記蓋板の底面に当接させることができ、前記離合構造は、前記セパレート体の最上縁の外周と瓶蓋との間に互いに対応して設けられる係止溝と、係止ブロックとから構成され、瓶蓋を時計回りに回すときに、前記係止溝と前記係止ブロックがお互いにロックする状態になり、瓶蓋を反時計回りに回すときに、前記係止溝と前記係止ブロックがお互いにアンロックする状態になることで、瓶蓋とセパレート体との離合を行い、前記リング型差込刃は、前記収容室内に内設されるとともに、中空部と、底端に設置される切刃とを備え、前記導き構造は、前記リング型差込刃とセパレート体との間に設けられ、前記リング型差込刃が反時計回りに回転するときに、下向きに移動するのを案内することができ、前記連動構造は、前記蓋板の底面に下向きに突設される螺旋ブロックと、前記リング型差込刃の壁面に設けられ、前記螺旋ブロックと対応する螺旋溝とから構成され、瓶蓋を反時計回りに回すときに、前記螺旋ブロックが前記螺旋溝を押し出すことができ、前記導き構造の案内作用によって、前記リング型差込刃の切刃が前記セパレート体の仕切膜を押して開くことを特徴とする。
【０００９】
また、本発明の請求項２は、請求項１において、前記離合構造は前記セパレート体の上方の外周に突設されるリングレールと、前記リングレール上に対称に備える複数の係止突起と、前記係止突起と前記リングレールとの間に形成される係止溝とから構成され、前記係止突起は横倒しにしたＬ字型を呈し、これにより、前記リングレールとの間に前記係止溝を形成し、前記瓶蓋には、前記係止溝に係止可能な係止ブロックを設け、瓶蓋を反時計回りに回すときに、前記係止ブロックを前記係止溝から離脱させるとともに、前記係止突起間の空きスペースから離れることで、前記瓶蓋とセパレート体とが分離できることを特徴とする。
【００１０】
また、本発明の請求項３は、請求項１において、前記導き構造は、前記リング型差込刃に対称に設けられる二つの開口溝と、前記収容室の壁面に設けられる複数の縦方向当接ブロックとから構成され、前記開口溝はコ字型を呈し、これにより、一つの弾性片を形成し、前記弾性片は自由端が前記リング型差込刃の外面へやや突出し、前記リング型差込刃を複数の前記縦方向当接ブロックによって形成される空間に収容されるとともに、前記弾性片を二つの前記縦方向当接ブロック間に設置されることを特徴とする。
【００１１】
また、本発明の請求項４は、請求項１において、前記リング型差込刃には、複数の分流孔が径方向に設けられることを特徴とする。
【００１２】
また、本発明の請求項５は、請求項１乃至４の何れか１項において、前記飲料容器の蓋体には、一つの容器をさらに設け、前記容器は、飲料を収める空間を備え、しかも最上部が内外を連通する瓶口を形成し、瓶口の外周に前記瓶蓋の内ネジ山と螺合する外ネジ山が設けられることを特徴とする。
【００１３】
さらに、本発明の請求項６は、請求項５において、前記飲料容器の蓋体には、一つの密封構造をさらに設け、前記密封構造は前記セパレート体の外周に突設され、前記瓶口と緊密に係合されるリングと、記セパレート体の外周であって、しかも前記リングの上方に環状に設けられる歯ブロックと、前記瓶口に設けられ、前記歯ブロックと噛み合う歯溝と、から構成されることを特徴とする。
【発明の効果】
【００１４】
本発明の飲料容器の蓋体によれば、次のような効果がある。
（１）係止溝と係止ブロックとからなる離合構造を介して瓶蓋とセパレート体を迅速にセットできるとともに、係止溝と係止ブロックの製造がより簡便になる。
【００１５】
（２）セパレート体を瓶口中に固着するときに、離合構造に径方向の干渉が発生せず、セットが便利で、しかもセットの精度も確保することができる。
【図面の簡単な説明】
【００１６】
【図１】本発明の飲料容器の蓋体の分解斜視図である。
【図２】本発明の飲料容器の蓋体の分解斜視図である。
【図３】本発明の飲料容器の蓋体のセット後の全体斜視図である。
【図４Ａ】瓶蓋を回すときの離合構造の位置関係を示す説明図である。
【図４Ｂ】瓶蓋を回すときの離合構造の位置関係を示す説明図である。
【図５Ａ】瓶蓋を反時計回りに回すときの導き構造の位置関係を示す説明図である。
【図５Ｂ】瓶蓋を反時計回りに回すときの導き構造の位置関係を示す説明図である。
【図５Ｃ】瓶蓋を時計回りに回すときの導き構造の位置関係を示す説明図である。
【図５Ｄ】瓶蓋を時計回りに回すときの導き構造の位置関係を示す説明図である。
【図６Ａ】本発明の飲料容器の蓋体のセット後の縦断面図である。
【図６Ｂ】本発明の飲料容器の蓋体の仕切膜を開けた場合を示す縦断面図である。
【図７】本発明の飲料容器の蓋体を容器に取り付けた場合の実施例の説明図である。
【図８】本発明の飲料容器の蓋体を容器に取り付けた場合の実施例の説明図である。
【図９】本発明の飲料容器の蓋体を容器に取り付けた場合の実施例の説明図である。
【発明を実施するための形態】
【００１７】
以下、本発明の実施の形態を図面に基づいて説明する。
まず、図１乃至図３、図６Ａを参照する。本発明の飲料容器の蓋体は、瓶蓋１０と、セパレート体２０と、離合構造と、リング型差込刃４０と、導き構造と、連動構造とを含む。
【００１８】
瓶蓋１０は、円形の蓋板１１と、前記蓋板１１の外周に沿って下向きに延設される胴体１２とを備え、前記胴体１２の内周には、時計回りに回して螺合する内ネジ山１２１が設けられる。
【００１９】
セパレート体２０は、底部が仕切膜２１で封閉されるとともに、中空の収容室２２を上向きに備える。セパレート体２０の最上縁は前記胴体１２を穿過し、しかも前記収容室の最上端面を前記蓋板１１の底面に当接させることができる。
【００２０】
前記離合構造では、前記セパレート体２０の上方の外周にリングレール３１が突設され、しかも前記リングレール３１に四つの係止突起３２が対称に配設され、前記係止突起３２は、横倒しにしたＬ字型を呈し、これにより、前記リングレール３１との間に前記係止溝３２１を形成する。さらに、瓶蓋１０には前記係止溝３２１と係止可能な係止ブロック３３を設ける。図４Ａと図４Ｂに示すように、瓶蓋１０を時計回りに回すときに、前記係止溝３２１が前記係止ブロック３３と係合することができる。また、瓶蓋１０を反時計回りに回すときに、係止ブロック３３が係止溝３２１から離脱するとともに、二つの係止突起３２間の空きスペース３４から分離することにより、瓶蓋１０とセパレート体２０とが離れることになる。
【００２１】
前記リング型差込刃４０は、前記収容室２２内に内設されるとともに、上下に貫通した中空部４１と、底端に突設される切刃４２とを備え、しかも径方向に複数の分流孔４３が貫設される。
【００２２】
前記導き構造は、前記リング型差込刃４０に対称に設けられる二つの開口溝５１と、前記収容室２２の壁面に設けられる複数の縦方向当接ブロック５３とから構成される。前記開口溝５１はコ字型を呈し、これにより、一つの弾性片５２を形成し、前記弾性片５２は自由端が前記リング型差込刃４０の外面へやや突出するようになっている。本実施例では、前記収容室２２の壁面に四つの縦方向当接ブロック５３が設けられる。前記リング型差込刃４０は、四つの前記縦方向当接ブロック５３によって形成される空間に収容され、前記弾性片５２は二つの前記縦方向当接ブロック５３間に設置される。図５Ａ、図５Ｂと図６Ｂに示すように、前記リング型差込刃４０が反時計回りに回転するときに、弾性片５２の自由端が縦方向当接ブロック５３と当接し、水平移動できなくなり、これに伴い、前記リング型差込刃４０を下向きにガイドして移動させることにより、仕切膜２１を押して破ることができる。また、前記リング型差込刃４０が時計回りに回転するときに、図５Ｃ、図５Ｄに示すように、弾性片５２が縦方向当接ブロック５３を通過することができる。
【００２３】
前記連動構造は、前記蓋板１１の底面に下向きに突設される螺旋ブロック６１と、前記リング型差込刃４０の中空部４１の壁面に設けられ、前記螺旋ブロック６１と対応する螺旋溝６２とから構成される。前記螺旋ブロック６１は、頸部が下向きに縮小していくようになっている。図６Ｂに示すように、瓶蓋１０を反時計回りに回すときに、前記螺旋ブロック６１が前記螺旋溝６２を押し出すことができ、前記導き構造の案内（又はガイド）作用によって、前記リング型差込刃４０の切刃４２が前記セパレート体２０の仕切膜２１を押して開くことができる。
【００２４】
図７乃至図９に示すように、前記飲料容器の蓋体には、一つの容器７０をさらに設ける。前記容器７０は、飲料を収める空間を備え、しかも最上部が内外を連通する瓶口７１を形成する。瓶口７１は、頸部が縮小していて、瓶口７１の外周に前記瓶蓋１０の内ネジ山１２１と螺合できる外ネジ山７２が設けられる。
【００２５】
前記飲料容器の蓋体には、一つの密封構造をさらに設ける。前記密封構造は前記セパレート体２０の外周に突設され、前記瓶口７１と緊密に係合されるリング８１と、記セパレート体２０の外周であって、しかも前記リング８１の上方に環状に設けられる歯ブロック８２と、前記瓶口７１に設けられ、前記歯ブロック８２と噛み合う歯溝８３と、から構成される。これにより、セパレート体２０を瓶口７１中に安定して取り付けることができる。
【００２６】
以上の構成から、本発明の飲料容器の蓋体には以下の長所がある。
（１）瓶蓋１０とセパレート体２０は、係止溝３２１と係止ブロック３３とからなる離合構造を採用することにより、迅速にセットすることができる。しかも係止溝３２１と係止ブロック３３の製造がより容易になる。
（２）セパレート体２０を瓶口７１中に挿着するときに、前記離合構造が従来の技術における螺合の径方向の干渉を改善するとともに、セットがよりスムーズ且つ容易になり、しかもセットの精度を確保することもができる。
【符号の説明】
【００２７】
１０    瓶蓋
１１    蓋板
１２    胴体
１２１  内ネジ山
２０    セパレート体
２１    仕切膜
２２    収容室
３１    リングレール
３２    係止突起
３２１  係止溝
３３    係止ブロック
３４    空きスペース
４０    リング型差込刃
４１    中空部
４２    切刃
４３    分流孔
５１    開口溝
５２    弾性片
５３    縦方向当接ブロック
６１    螺旋ブロック
６２    螺旋溝
７０    容器
７１    瓶口
７２    外ネジ山
８１    リング
８２    歯ブロック
８３    歯溝
【図１】
2011140352.tif 000003
【図２】
2011140352.tif 000004
【図３】
2011140352.tif 000005
【図４Ａ】
2011140352.tif 000006
【図４Ｂ】
2011140352.tif 000007
【図５Ａ】
2011140352.tif 000008
【図５Ｂ】
2011140352.tif 000009
【図５Ｃ】
2011140352.tif 000010
【図５Ｄ】
2011140352.tif 000011
【図６Ａ】
2011140352.tif 000012
【図６Ｂ】
2011140352.tif 000013
【図７】
2011140352.tif 000014
【図８】
2011140352.tif 000015
【図９】
2011140352.tif 000016